【手続補正書】
【提出日】平成30年2月22日(2018.2.22)
【手続補正１】
【補正対象書類名】明細書
【補正対象項目名】００７４
【補正方法】変更
【補正の内容】
【００７４】
車道交通事情の視角映像を生成する方法は：ネットワークにおいて、車道を移動する車両に関係したコンピュータ装置から交通事情映像データを受信することであって、この交通事情データは最新の映像であり；受信した交通事情映像データを最新の映像として記憶すること;および、特定の車道セグメントに対して映像リクエストを受信すると、ネットワークを介して映像リクエストを発信した車両に対して、リクエストされた特定の車道セグメントの交通事情映像を送信すること；を含んでいる。
本開示は以下を含む。
［構成１］
車道交通事情の視覚映像を生成するための方法において、
ネットワークにおいて、車道を移動する車両に関係したコンピュータ装置から交通事情映像データを受信することであって、前記交通事情データは最新の映像であり、
受信した交通事情映像データを最新の映像として記憶すること、および
特定の車道セグメントに対する映像リクエストの受信において、リクエストされた特定の車道セグメントの交通事情映像をネットワークを介して前記映像リクエストを発信した車両に対して送信すること、
を含む、方法。
［構成２］
構成１に記載の方法において、さらに、
前記車両に取り付けた少なくとも１個の映像センサから交通事情データを獲得することを含む、方法。
［構成３］
構成１に記載の方法において、さらに、
前記映像と共に、車両位置座標データと、速度、加速度および減速度の少なくとも１個を供給すること、
前記車両上のコンピュータ装置とクラウドソーシング交通映像制御装置との間に通信ネットワークを供給すること、
を含む、方法。
［構成４］
構成１に記載の方法において、さらに、
特定の車道リクエストに対する映像リクエストの受信において、前記制御装置が映像リクエスト車両に対して最新の時間および日付スタンプ映像データを送信すること、
を含む、方法。
［構成５］
構成１に記載の方法において、最新の映像を記憶することは、
前記最新の映像が撮られた日付および時間を前記記憶された最新の映像に関連させること、を含む、方法。
［構成６］
車両に交通事情映像を報告するための方法において、
車両が移動している車道上の交通事情を記録するために、前記車両上の映像センサに接続されたコンピュータ装置を前記車両内に設けることであって、前記コンピュータ装置は記憶されたプログラム命令を実行して、
前記車両上の少なくとも１個の映像センサによって生成された映像を記録し、
車両の動作事情データを前記映像と結合し、さらに
前記映像と前記車両の動作事情データをネットワークに送信するものであり、
クラウドソーシング交通事情制御装置が少なくとも１個のプロセッサを含み、前記プロセッサは記憶されたプログラム命令を実行して、
前記車両から前記映像および車両動作データを受信し、
時間および日付スタンプ情報と車両動作事情と共に、前記映像が撮られた車道セグメントの座標に関連して前記映像を記憶し、さらに
車両からのリクエストにおいて、特定の車道セグメントの最新の交通事情映像をネットワークを介して前記車両に送信するものである、方法。
［構成７］
構成６に記載の方法において、さらに、
制御装置によって、車両からの映像リクエストに応答して、最新の時間および日付がスタンプされた映像を送信することを含む、方法。
［構成８］
構成７に記載の方法において、前記制御装置はプログラム命令を実行して、
車両からの全ての映像を記憶し、さらに、
時間および日付スタンプ情報と方向と共に、少なくとも１個の特定の道路事情座標位置を含む交通事情映像のリクエストに応答して、前記リクエストを発信した車両に、前記日付、時間および方向に対する交通事情映像を送信するものである、方法。
［構成９］
構成６に記載の方法において、さらに
複数の車両のそれぞれに搭載された映像センサから映像を前記制御装置に送信する能力を備えたコンピュータ装置を複数の車両内に設けることを含む、方法。
［構成１０］
構成９に記載の方法において、前記コンピュータ装置は、車両上の映像センサの少なくとも１個からの映像を記憶している場合、前記映像が撮られた時間および日付を前記制御装置によって関連させている、方法。
［構成１１］
構成６に記載の方法において、最新の交通事情映像を記憶することは、
前記制御装置によってネットワーク送信能力を有するそれぞれの車両の地理的位置を追跡し、
それぞれの車両制御装置に能動的に接続された全ての車両を送信し且つ表示し、
前記車両の１個によって生成された映像リクエストをリセットし、前記映像位置リクエストは選択された道路位置の近辺で前記制御装置に能動的に接続された他の車両の選択を含み、
前記制御装置によって前記車両選択を受信し、且つ前記選択された車両に映像を生成するための命令を送信し、
前記選択された車両上の映像センサによって映像を記録し、さらに、前記取られた映像を、リクエストしている車両において表示するために、前記リクエストしている車両に前記制御装置によって受信し且つ送信する、方法。
［構成１２］
構成１１に記載の方法において、前記車両の全ては前記制御装置にオプトインすることができる、方法。
［構成１３］
構成１２に記載の方法において、前記制御装置へのオプトインは、車両が動作している場合は自動的に、或いは全ての車両において手動で選択されるかのうちの１個である、方法。
［構成１４］
構成１２に記載の方法において、前記制御装置は、前記制御装置にオプトインした車両のみの前記制御装置にオプトインした全ての車両のそれぞれのナビゲーションスクリーン上に、表示のために信号を送信する、方法。
［構成１５］
構成１２に記載の方法において、映像を撮るための車両の選択は、
リクエストされた映像を撮るために選択された車両上の映像センサを選択することを含む、方法。
［構成１６］
クラウドソーシング映像収集を用いて車道交通事情の映像を生成するための装置において、
車両に搭載され、且つ、少なくとも１個のプロセッサを有する、コンピュータ装置であって、前記プロセッサは、
前記車両に搭載された少なくとも１個の映像センサから映像を受信し、
前記少なくとも１個の映像センサから受信した映像に時間および日付をスタンプし、
車両座標と方向情報を記録された映像に結合し、さらに
前記車両動作座標と車両方向情報とに結合された前記記録された映像をネットワークに送信するために、記憶されたプログラム命令を実行する、前記コンピュータ装置と、
少なくとも１個のプロセッサを含む交通事情映像報告制御装置であって、当該プロセッサは、
車両から映像と車両動作座標を受信し、
記録された映像、車両座標における時間および日付スタンプ情報をメモリ中に記憶し、
特定の車道セグメントの交通事情のための車両からのリクエストに応答して、前記特定の車道セグメントに対する最新の交通事情映像を検索するために前記メモリにアクセスし、さらに
前記映像を、交通事情のリクエストを行った前記車両に送信するために、記憶されたプログラム命令を実行する、前記交通事情映像報告制御装置と、を含む、装置。
［構成１７］
構成１６に記載の装置において、さらに、
前記交通事情映像を表示するために、前記車両に搭載され且つ前記車両中の前記コンピュータ装置に接続されたディスプレイを含む、装置。
［構成１８］
構成１６に記載の装置において、さらに、
前記コンピュータ装置は、映像ダウンロードのための車道セグメントを特定する車両ドライバ入力に応答することを含む、装置。
［構成１９］
構成１６に記載の装置において、さらに、
前記制御装置は、特定の車道セグメントにおける記憶された映像を、同じ特定の車道セグメントのネットワークから受信した交通事情映像によって上書きし、最新の時間および日付がスタンプされた映像を追加することを含む、装置。
［構成２０］
構成１６に記載の装置において、さらに、
前記制御装置は、前記車両から受信した全ての映像を、全ての車道セグメントと全ての日付および時間および車両座標データのために、記憶することを含む、装置。
［構成２１］
構成１６に記載の装置において、前記車両の全ては前記制御装置にオプトインすることができる、装置。
［構成２２］
構成１６に記載の装置において、前記制御装置への前記オプトインは、車両が動作している場合は自動で且つマニュアルの何れかである、装置。
［構成２３］
構成１６に記載の装置において、前記制御装置は、前記制御装置にオプトインした前記車両のみの前記制御装置にオプトインしたそれぞれのナビゲーションスクリーン上に表示するために、信号を送信する、装置。
［構成２４］
構成１６に記載の装置において、映像を撮るための車両の選択は、前記制御装置がユーザにリクエストされた映像を撮るために前記選択された車両上の映像センサを選択することを許可することを含む、装置。
【手続補正２】
【補正対象書類名】特許請求の範囲
【補正対象項目名】全文
【補正方法】変更
【補正の内容】
【特許請求の範囲】
【請求項１】
車両間で交通事情映像を報告するための方法において、前記方法は、
複数のコンピュータ装置であって、各コンピュータ装置が、複数の車両が移動している車道上の映像を記録するために構成された複数の映像センサに接続されているコンピュータ装置を前記複数の車両に設けることと、
前記複数の車両のそれぞれにおいて、前記コンピュータ装置の前記複数の映像センサによって生成された映像を記録することと、
車両の動作事情データを前記映像と結合することと、
前記映像と前記車両の動作事情データをクラウドソーシング交通事情制御装置内に記憶するためにそれぞれの前記コンピュータ装置からネットワークを介して送信することであって、それぞれの映像は、時間および日付スタンプ情報と前記映像が撮られた車道セグメントの座標と共に記憶される、前記送信することと、
交通事情映像のリクエストがあると、リクエストしている車両に、前記クラウドソーシング交通事情制御装置に能動的に接続された、選択された車両のアイコンを送信し且つ表示することであって、前記アイコンが複数のインディケータを含み、各インディケータが映像センサの位置を描く、前記表示することと、
前記クラウドソーシング交通事情制御装置によって、前記選択された車両の選択された映像センサからの交通事情映像のための、前記リクエストしている車両からの問合せを受信し、前記選択されたセンサからの映像を生成するための命令を前記選択された車両に送信することと、
前記クラウドソーシング交通事情制御装置によって、前記選択された車両の前記選択されたセンサから映像を受信することと、
前記クラウドソーシング交通事情制御装置によって、前記交通事情映像を、前記リクエストしている車両で表示するために、前記リクエストしている車両に送信することと、
を含む、方法。
【請求項２】
請求項１に記載の方法において、前記クラウドソーシング交通事情制御装置は、
前記複数の車両からの全ての映像を記憶し、さらに、
時間および日付スタンプ情報と方向と共に、少なくとも１個の特定の道路座標位置を含む交通事情映像のリクエストに応答して、前記リクエストしている車両に、前記日付、時間および方向に対する前記交通事情映像を送信する、方法。
【請求項３】
請求項１に記載の方法において、さらに、
前記クラウドソーシング交通事情制御装置によって、ネットワーク送信能力を有するそれぞれの車両の地理的位置を追跡すること、
を含む、方法。
【請求項４】
請求項３に記載の方法において、前記複数の車両のいずれかは、前記クラウドソーシング交通事情制御装置と共に参加するためにオプトインすることができる、方法。
【請求項５】
クラウドソーシング映像収集を用いて車道交通事情の映像を生成するためのシステムにおいて、前記システムは、
ネットワークと、
複数の車両それぞれに搭載され、且つ、記憶されたプログラム命令を実行する少なくとも１個のプロセッサを有する、複数のコンピュータ装置であって、前記プロセッサは、
前記車両それぞれに搭載された複数の映像センサのうちの少なくとも１個の映像センサから映像を受信し、
それぞれの映像を時間および日付スタンプとともに記録し、
車両動作座標と車両方向情報を、記録されたそれぞれの映像に結合し、さらに
前記車両動作座標と車両方向情報とに結合された前記記録された映像を前記ネットワークを介して送信するために、前記記憶されたプログラム命令を実行する、前記コンピュータ装置と、
前記車両に搭載され且つ前記車両内の前記コンピュータ装置に接続された、前記交通事情映像を表示するためのディスプレイと、
プログラム命令を実行する少なくとも１個のプロセッサを含む、クラウドソーシング交通事情制御装置であって、当該プロセッサは、
車両から前記ネットワークを通して、前記車両動作座標と車両方向情報に結合された前記記録された映像を受信し、
前記記録された映像を、メモリ内に記憶し、
特定の車道セグメントの交通事情のための、映像をリクエストしている車両からのリクエストに応答して、前記リクエストしている車両に、前記クラウドソーシング交通事情制御装置に能動的に接続された、選択された車両のアイコンを送信し且つ表示し、前記アイコンが複数のインディケータを含み、各インディケータが映像センサの位置を描き、さらに
前記ネットワーク上で、前記映像を、選択された映像センサから、交通事情のための前記リクエストを行った前記映像をリクエストしている車両に送信するために、前記プログラム命令を実行する、前記クラウドソーシング交通事情制御装置と、を含む、システム。
【請求項６】
請求項５に記載のシステムにおいて、複数の車両のいずれかは前記システムに参加するために、オプトインすることができる、システム。
【請求項７】
請求項６に記載のシステムにおいて、前記クラウドソーシング交通事情制御装置は、前記システムにオプトインしたいずれかの車両のそれぞれのナビゲーションスクリーン上への表示のために信号を送信する、システム。
【請求項８】
請求項５に記載のシステムにおいて、前記クラウドソーシング交通事情制御装置は、リクエストされた映像を記録するために、選択された車両上の映像センサを選択するユーザからの入力を受信するように構成されている、システム。